(57)【要約】【課題】小面積屋根から大面積屋根まで熟練を要することなく容易に屋根膜材を張ることができる屋根膜取付構造を提供する。【解決手段】屋根の骨組みを形成するトラス構造等の各継手２に貫通孔４が形成され、貫通孔４にナット５により上下動する張力調整用ボルト３が貫通し、張力調整用ボルト３の先端に張力調整用ボルト３の上下動に伴って共に上下動する屋根膜材６を取り付ける膜取付材７が固着され、張力調整用ボルト３の上下動により膜取付材が上下動して屋根膜材に張力が付与される屋根膜取付構造。【選択図】図２
2006183356.tif 000002
【特許請求の範囲】
【請求項１】
屋根の骨組みの各継手に貫通孔が形成され、貫通孔にナットにより上下動する張力調整用ボルトが貫通し、張力調整用ボルトの先端に張力調整用ボルトの上下動に伴って共に上下動する屋根膜材を取り付ける膜取付材が固着され、同一列の張力調整用ボルトの上下動により同一列の膜取付材が上下動して屋根膜材に張力が付与されることを特徴とする屋根膜材取付構造。
【請求項２】
継手に固定された支持板に弓形の膜支持材の両端を固着したことを特徴とする請求項１記載の屋根膜材取付構造。
【発明の詳細な説明】
【技術分野】
【０００１】
本発明は、屋根の骨組みに屋根膜材を取り付ける屋根膜取付構造に関する。
【背景技術】
【０００２】
屋根の骨組みを形成した後に骨組みにテント布などの屋根膜材を張って屋根を形成する方法が知られている。
【０００３】
特許文献１には、屋根膜材の下に対角線上に弓形の張力導入フレームを取り付けた複数の枠形フレームを梁上に固定し、梁の下からケーブルを引いて連結ロッドを押し上げ、張力導入フレームを突き上げて屋根膜材を押し上げて張設する屋根膜ユニットが示されている。
【０００４】
また、特許文献２には、屋根の中央部の一点を押し上げて束部材を上方に変位させ、軸体における隣り合うもの同士の間の開き角度を増大させることで、屋根膜材に所定の張力を均等に付与して展張されるようにした屋根が開示されている。
【０００５】
また、特許文献３には、屋根膜材の両側縁に設けたロープ状エッジを、屋根の傾斜方向に配置した膜止着材の膜止着用溝に通して支持するとともに、屋根膜材の中間位置に設けた長手方向にロープ状エッジを膜引張り材の膜止着用溝に通して支持させ、膜引張り材を下方へ引張って膜材に張力を付与して固定する膜屋根が開示されている。
【特許文献１】特開昭６２−１６０３７９号公報
【特許文献２】特開２００１−４９７８３号公報
【特許文献３】特開２００１−４９９０６号公報
【発明の開示】
【発明が解決しようとする課題】
【０００６】
特許文献１の屋根膜ユニットでは、屋根膜材が大面積になるほどケーブルが長くなり、ケーブルの伸び等により屋根膜材に均一な張りを施すことが困難である。また、施工後もケーブルの伸びにより屋根膜材の張りが弛む恐れがあり、定期的に管理が必要となる。さらに、屋根膜材が枠形フレームごとに分割されているため、分割部分の止水が相当量必要となる。
【０００７】
特許文献２の屋根は、大面積屋根の場合には屋根膜材の面積も軸体の大きさも大きくなるので、屋根の中央部の一点を押し上げるだけでは大面積の屋根膜材全体を張ることは容易ではなく、また、軸体を押し上げることも容易ではない。また、屋根膜材の中央部の一点を押し上げるため、特にその部分の屋根膜材が強く張られ、屋根膜全体に均一な張りを施すことが困難で屋根膜材の寿命にも悪影響がある。また、中央部の一点を押し上げるだけなので、屋根形状が限定される。
【０００８】
特許文献３の膜屋根は、屋根膜材を張るためのウインチやガイドシーブ等が必要なことや膜材取付けのためのロープ状エッジや膜止着材、膜引張材等複雑な加工と精度を要する長尺な構成部材が必要であり、また、膜引張り材の引き下げ長さの調整ができないので、現場に応じた最適の張力を屋根膜材に与えることは難しい。さらに、膜材を取り付ける場合、あるいは、膜材の耐用年数が過ぎて屋根膜材を張り替える場合に熟練を要し、相当な手間がかかる。
【０００９】
そこで、本発明は、小面積屋根から大面積屋根まで熟練を要することなく容易に屋根膜材を張ることができる屋根膜取付構造を提供するものである。
【課題を解決するための手段】
【００１０】
本発明の屋根膜取付構造は、屋根の骨組みを形成するトラス構造の各継手に貫通孔が形成され、貫通孔にナットにより上下動する張力調整用ボルトが貫通し、張力調整用ボルトの先端に張力調整用ボルトの上下動に伴って共に上下動する屋根膜材を取り付ける膜取付材が固着され、張力調整用ボルトの上下動により膜取付材が上下動して屋根膜材に張力が付与されることを特徴とする。さらに、継手に固定された支持板に弓形の膜支持材の両端を固着してもよい。
【発明の効果】
【００１１】
本発明の効果は次のとおりである。
【００１２】
（１）トラス構造等の骨組みの継手を利用し、屋根膜材を長尺の膜取付材に係止して張力を与えるので、例えば、トラス構造を利用するガレージ、公園の休憩場所などの小面積屋根から体育館、ホール、展示場などの大面積屋根まで、屋根膜材に均一な張りを与えることができる。それにより膜材の寿命も長くなる。
【００１３】
（２）膜取付材に屋根膜を係止し、支持部材をネジにより上下させるだけなので、屋根膜材の張り施工に特別な熟練を必要とせず、施工後の屋根膜材の張り調整も容易にできる。
【００１４】
（３）施工のために、ウインチやシーブの取付などの準備を必要としないので、屋根膜材の張り施工を従来よりも早くすることができる。
【００１５】
（４）屋根膜材を膜取付材から取り外し、新しい膜材を係止して張力を与えるだけなので、屋根膜材の張り替えも容易にできる。
【００１６】
（５）屋根膜材取付けのための膜取付材が単純な構造で構成できるため安価にできる。
【００１７】
（６）屋根膜材を引き下げて張ることも押し上げて張ることもできるので、現場に応じた最適な張力を屋根膜材に与えることができる。
【００１８】
（７）屋根膜材を引き下げて張る場合、あるいは屋根膜材を押し上げて張る場合、張力調整用ボルトの締め付けナットをそれぞれあらかじめ所定の位置にセットしておけば張力調整ボルトの締め付け長さを全て同じにすることができ、屋根膜材全体に均一な張りを施すことが容易にでき作業も早くできる。
【００１９】
（８）継手部分で張力を与えるので、継手の配置に応じて屋根の仕上がり形状が多様にできる。
【発明を実施するための最良の形態】
【００２０】
本発明の実施例を図面を参照しながら説明する。
【実施例１】
【００２１】
図１は実施例１に使用する屋根膜構造の要部を示す斜視図、図２は継手部分の拡大図、図３は張力を付与した状態を示す図である。
【００２２】
図１に示す例は、骨組みとして、トラス部材１を継手２で次々に連結して組み立てたトラス構造で、この構造は平屋根あるいはアーチ形屋根に形成することができる。
【００２３】
図２に示すように、継手２には、張力調整用ボルト３が上下方向に移動可能であるように貫通孔４が設けられている。継手２には従来からトラス構造に利用されているボールジョイントなど、張力調整用ボルト３の貫通孔４を形成できる継手を利用することができる。施工の際には張力調整用ボルト３は、継手２を挟んで螺合しているナット５を回転させて高さが調整される。
【００２４】
張力調整用ボルト３の上端には、屋根膜材６を取り付けるために、剛性を有する、例えば鋼管からなる膜取付材７が溶接等により固定される。膜取付材７には継ぎ足し可能とするため必要に応じてジョイントを設ける。屋根膜材６を膜取付材７に取り付けるため、屋根膜材６には、膜取付材７に沿うように一対の取付バンド６ａが直線状に膜取付材７を挟み込むように設けられている。各取付バンド６ａには取付バンド６ａを膜取付材７に係止するためのヒモ６ｃを通すハトメ６ｂが間隔をおいて設けられている。屋根膜材６としては、耐候性、非透水性、耐久性などを有する、例えば、テントなどに使用されている、Ａ種、Ｂ種、Ｃ種の膜材料などを利用することができる。
【００２５】
本実施例の施工方法は次のとおりである。
【００２６】
トラス部材１を継手２に連結して屋根の骨組みを完成させる。次いで、膜取付材７に上端が溶接により固着されている張力調整用ボルト３を、継手２の貫通孔４に挿入、貫通させて膜取付材７を骨組みに取り付ける。その後、屋根膜材６を膜取付材７の上に被せ、屋根膜材６の取付バンド６ａのハトメ６ｂにヒモ６ｃを通して屋根膜材６を膜取付材７に係止する。
【００２７】
次いで、隣り合う列の膜取付材７のうち、一方の列の膜取付材７ａに固着されている各張力調整用ボルト３を上下のナット５を回転させて継手２に締め付けて張力調整用ボルト３を低いレベルに調整する。
【００２８】
レベルを調整した後、他方の列の膜取付材７ｂに固着されている各張力調整用ボルト３のナット５を回転させて各張力調整用ボルト３を上昇させ、それに伴い膜取付材７ｂが低いレベルにある膜取付材７ａの高さより上に上昇する。同様にして、膜取付材７ｂをひとつおきに張力調整用ボルト３を上昇させ、それに伴い膜取付材７ｂが低いレベルにある膜取付材７ａの高さより上に上昇させる。その結果、屋根膜材６に張力が付与されて波形に張設される。
【００２９】
なお、膜取付材を隣り合う膜取付材のうち、一方の張力調整用ボルトを高いレベルに設定し、他方の張力調整用ボルトを下降させて張力を付与して波形に張設してもよい。
【００３０】
本実施例より、図６（ａ）に示す平屋根、あるいは（ｂ）に示すアーチ形屋根を形成することができる。
【実施例２】
【００３１】
図４は実施例２に使用する継手部分の拡大図、図５は実施例２の屋根膜材に張力を付与した状態を示す図で、図１〜図３と同一部材には同一符号を付してその説明は省略する。本実施例２は、屋根膜材６を弓形の膜支持材８に沿って弓形に張設するものである。
【００３２】
図４において、実施例１とは、弓形の膜支持材８を継手２の支持板９に固定する点が異なるだけで、実施例１と同様に、膜取付材７には予め各張力調整用ボルト３の上端が固着され、屋根膜材６が取り付けられる。
【００３３】
本実施例の施工方法は次のとおりである。
【００３４】
トラス部材１を継手２に連結して屋根の骨組みを完成させる。次いで、膜取付材７に上端が溶接により固着されている張力調整用ボルト３を、弓形の膜支持材８を取り付けた支持板９の貫通孔に入れ込んだ後、継手２の貫通孔４に入れ込み、膜取付材７及び膜支持材８を骨組みに取り付ける。その後、屋根膜剤６を膜取付材７及び膜支持材８の上に被せ、屋根膜材６の取付バンド６ａのハトメ６ｂにヒモ６ｃを通して屋根膜材６を膜取付材７に係止する。
【００３５】
次いで、各張力調整用ボルト３のナット５を回転させて各継手２の張力調整用ボルト３を下降させ、それに伴い膜取付材７が下降する。その結果、屋根膜材６に弓形の膜支持材８に沿って張力が付与されて張設される。
【００３６】
本実施例より、図６（ｃ）、（ｄ）に示すように弓形が連続した屋根を形成することができる。
【図面の簡単な説明】
【００３７】
【図１】実施例１に使用する屋根膜構造の要部を示す斜視図。
【図２】図１の継手部分の拡大図。
【図３】実施例１の屋根膜材に張力を付与した状態を示す図。
【図４】実施例２に使用する継手部分の拡大図。
【図５】実施例２の張力を付与した状態を示す図。
【図６】実施例１，２の屋根膜材に張力を付与した状態を示す図。
【符号の説明】
【００３８】
１：トラス部材
２：継手
３：張力調整用ボルト
４：貫通孔
５：ナット
６：屋根膜材
６ａ：取付バンド
６ｂ：ハトメ
６ｃ：ヒモ
７：膜取付材
８：弓形の膜支持材
９：支持板
【図１】
2006183356.tif 000003
【図２】
2006183356.tif 000004
【図３】
2006183356.tif 000005
【図４】
2006183356.tif 000006
【図５】
2006183356.tif 000007
【図６】
2006183356.tif 000008